(57)【要約】【課題】複数の切り込み線を同時に入れることができる作業性の良さおよび床面と垂直面が出合う直角の入り隅部まで切断できると共に、商用電源１００ボルトで使用できる至便なハンディタイプのパラレルカッターを提供する。【解決手段】カッター本体１のハウジング２に内蔵された駆動源によって回転される駆動軸３にスペーサー５を介して複数のカッター刃４，４が取り付けられる。該カッター刃４，４の外周の一部を覆う保護カバー６の上部に粉塵排出筒９を設ける。カッター刃４の前部から下部にかけて保護カバー６で覆われないカッター刃４が２７０度露出している。【選択図】図１
2012250335.tif 000002
【特許請求の範囲】
【請求項１】
カッター本体のハウジングに内蔵された駆動源によって回転される駆動軸にスペーサーを介して複数のカッター刃が取り付けられ、該カッター刃の外周の一部を覆う保護カバーの上方部に粉塵排出筒を設けると共に、カッター刃の前部から下部にかけて保護カバーで覆われないカッター刃が２７０度露出していることを特徴とする携帯用電動パラレルカッター。
【請求項２】
上記複数のカッター刃は２枚であり、カッター幅を自在に変えることができるスペーサーを組み合わせて取り付けられていることを特徴とする請求項１に記載の携帯用電動パラレルカッター。
【請求項３】
上記保護カバーに、保護カバーで覆われていないカッター刃の下部後面を覆うスライド安全カバーを設けたことを特徴とする請求項１または２に記載の携帯用電動パラレルカッター。
【発明の詳細な説明】
【技術分野】
【０００１】
本発明は、コンクリート面、モルタル面、石材面、タイル面などに切り目、溝、凹部等を形成する時に使用する携帯用電動パラレルカッターに関するものであり、さらに詳しくは、床面と垂直面が出合う内側の入り隅部まで切断できる携帯用電動パラレルカッターに関するものである。
【背景技術】
【０００２】
例えば、水路などのコンクリート建築構造物には、温度変化による収縮・膨張によって生じる応力や壁面の表面と裏面の温度差による反りによって生じる応力を軽減するために、所定間隔毎に凹溝を形成し、その凹溝内に目地材を設けて亀裂を防いでいる。
【０００３】
この目地材が古くなって修復する場合や急遽目地が必要となった場合には、空気圧などを動力源とするカッターを使用したり、エンジンカッターなどを用いて切断しているが、エアーカッターの場合にはエアーコンプレッサなどの動力源が別途必要となり、エンジンカッターの場合も装置が大型になり、作業スペースを確保できない狭隘な場所などでは作業ができないといった問題点があった。
【０００４】
そこで、装置の小型化を図るために、電動モータを駆動源としてディスクグラインダの回転軸にダイヤモンドホイールなどの回転刃を１枚取り付けると共に、回転刃の下面を除いた外周部を覆う安全カバーを取り付けた小型電動カッターを使用している（例えば、特許文献１参照）。
【先行技術文献】
【特許文献】
【０００５】
【特許文献１】特開２００３−１１７９１９号公報
【発明の概要】
【発明が解決しようとする課題】
【０００６】
しかしながら、上記特許文献１の小型電動カッターで切断するには、直線状のスケールや金属板に当て一度切り込み線を入れた後、間隔をあけてもう一度切り込み線を入れるか、あるいは予め２本のカットラインを墨付けした後、１本ずつカットラインの上を切り込んだ後、切り込み線の内側をはつり工具ではつり凹溝を施工しているが、溝幅を同一間隔で平行に切断する作業は大変難しく、熟練者でなければできないばかりでなく、２本の切り込み線を入れるのに２度の手間をかけることになり作業効率が悪いという問題点があった。
【０００７】
また、機器の据え付け工事などに際して、床面に切り目、溝、凹部を形成したりすることがあり、その際、床面と垂直面が出合う内側の入り隅部まで切り込みを入れる場合があるが、上記特許文献１のカッターでは、図９に示すように、カッター刃２１の外周部を覆う安全カバー２２は、底面部２３のみ開口されているだけであるから、床面２４は切断できても、床面２４の入り隅部２５までは切断できない。すなわち、前方に進んで切り込んでいくと安全カバー２２がカッター刃２１より前方に突出しているので、その先端部２２ａが垂直面２６に当たり、カッター刃２１が入り隅部２５に達せず切断できないという問題点があった。
【０００８】
本発明は、上記のような問題点を解決することを課題として研究開発されたもので、複数の切り込み線を同時に入れることができる作業性の良さと便利性および床面と垂直面が出合う内側の入り隅部まで切断できると共に、商用電源１００ボルトで使用できる使い勝手の良いハンディタイプのパラレルカッターを提供することを目的とする。
【課題を解決するための手段】
【０００９】
上記の課題を解決し、その目的を達成する手段として、本発明では、カッター本体のハウジングに内蔵された駆動源によって回転される駆動軸にスペーサーを介して複数のカッター刃が取り付けられ、該カッター刃の外周の一部を覆う保護カバーの上部に粉塵排出筒を設けると共に、カッター刃の前部から下部にかけて保護カバーで覆われないカッター刃が２７０度露出していることを特徴とする携帯用電動パラレルカッターを開発し、採用した。
【００１０】
上記のように構成した携帯用電動パラレルカッターにおいて、上記複数のカッター刃は２枚であり、カッター幅を自在に変えることができるスペーサーを組み合わせて取り付けられていることを特徴とする携帯用電動パラレルカッター、および上記保護カバーに、保護カバーで覆われていないカッター刃の下部後面を覆うスライド安全カバーを設けたことを特徴とする携帯用電動パラレルカッターを開発し、採用した。
【発明の効果】
【００１１】
本発明の請求項１の携帯用電動パラレルカッターは、カッター刃の前部から下部にかけて保護カバーで覆われない複数のカッター刃が２７０度露出しているから、従来の切断機では困難であった複数の切り込みを同時に入れることができると共に、床面と垂直面が出合う入り隅部まで切断することができる。また、カッター刃の切断によって飛散する粉塵を、保護カバーの上部に設けた排出筒に集塵ホースを連結して粉塵を回収することができる。さらに、商用電源または軽量発電機からの交流１００ボルトを供給することにより手軽に使用できると共に、ハンディタイプの小型であるから、持ち運びが便利で使い勝手がよくなる。
【００１２】
また、本発明の請求項２の携帯用電動パラレルカッターは、厚さの異なるスペーサーを組み合わして取り付けることによりカッター刃の幅を自在に変えることができ、所定幅の切り込み線を容易に入れることができる。
【００１３】
さらに、本発明の請求項３の携帯用電動パラレルカッターは、保護カバー６で覆われていない下部後面をスライド安全カバーで覆っていることから、切断片が作業者の方向に飛散して作業者に当たることがなくなると共に、カッター刃の切り込み深さによってスライドし、切断作業時においては、どのような深さであっても、自重によって安全カバーの下面が被切削材に当接して切断深さを一定に保つことができ、安定した切断作業を行うことができる。
【図面の簡単な説明】
【００１４】
【図１】本発明の携帯用電動パラレルカッターの正面図である。
【図２】本発明の携帯用電動パラレルカッターの背面図である。
【図３】本発明の携帯用電動パラレルカッターの平面図である。
【図４】要部の縦断面図である。
【図５】使用状態の説明図である。
【図６】床面に凹溝が施工された状態の説明図である。
【図７】凸部スペーサーの断面図である。
【図８】凹部スペーサーの断面図である。
【図９】従来のカッターの使用説明図である。
【発明を実施するための形態】
【００１５】
以下に、本発明の実施の形態を添付の図１〜図５に基づいて説明すれば、１はハンディタイプ用の電動パラレルカッター本体であり、そのカッター本体１の一側面にモータ（図示せず）を内蔵した円筒状のケーシング２を配設してある。３はモータの駆動によって回転する駆動軸であり、この駆動軸３に２枚のカッター刃４，４がスペーサー５を介在して取り付けられている。
【００１６】
このスペーサー５は、図７に示すように、適宜厚さ（ｔ）の円盤体の表面を突起部とした凸部スペーサー５ａと、図８に示すように、適宜厚さ（ｔ）の円盤体の表面を陥部とした凹部スペーサー５ｂを用い、この凸部スペーサー５ａと凹部スペーサー５ｂを組み合わせることによりカッター刃４，４の間隔を自由に変更できるようになっている。
【００１７】
６はカッター刃４，４の外周部の一部を覆う金属製の保護カバーであり、天板６ａと両側板６ｂ，６ｂと傾斜板６ｃと後板６ｄを一体的に連設して形成されており、側板６ｂの前端縁と下端縁はそれぞれ直角に折り曲げられた折曲片７，７によって、切断時における切断片が作業者の方向に飛散して手や身体に当るのを防護している。
【００１８】
このように形成された保護カバー６により、カッター刃４の外周部の一部が覆われるが、前部および下部が覆われることなく露出した状態になっている。すなわち、保護カバー６の前端縁および下端縁よりカッター刃４が突出した状態で露出しておりその露出度は２７０度の範囲で露出している。
【００１９】
９は保護カバー６の傾斜板６ｃに設けた開口に差し込んで連結した粉塵排出筒であり、集塵ホース（図示せず）を連結してカッター刃４の切断によって生じる保護カバー６内の粉塵を集塵袋（図示せず）に集塵して外気に飛散しないようにしてある。
【００２０】
１０は保護カバー６で覆われていない下部後面を覆うスライド安全カバーであり、この安全カバー１０は、縦長の両側面板１０ａ，１０ａと幅広の後面板１０ｂがヒンジ１１で連結されて略コ字状に形成されており、両側面板１０ａ，１０ａに設けられた長孔１２，１２と、後面板１０ｂに設けられた二つの長孔１２，１２に嵌まるビス１３，１３，１３，１３を介して切り込み深さに応じてスライドできるようになっている。そして、切断時においては、安全カバー１０の自重によって下面１０ｃが被切削片に当接するようになっている。
【００２１】
１４は保護カバー６の一側板６ａの上部に設けた雌螺子孔であり、一側方に突出するグリップハンドル１５の先端部の雄螺子１６と螺合するようになっており、このグリップハンドル１５は着脱自在になっている。
【００２２】
このように構成した本発明の実施形態における携帯用電動パラレルカッターの使用態様を説明すると、床面１７と垂直面１８が出合う内角の入り隅部１９に切り溝を入れる場合に、スライド安全カバー１０の下端部１０ｃを床面１７に載置し、片手をカッター本体１のグリップハンドル１５を把持してスイッチをＯＮにする。そうすると、カッター本体１のケーシング２内に内蔵されたモータが回転駆動し、その駆動軸３に取り付けられた平行する２枚のカッター刃４、４を切断方向に移動させると、床面１７に２条の切り込み線が入れられていき、カッター刃４は保護カバー６で覆われていない２６０度露出しているから、床面１７と垂直面１８との出合う入り隅部１９においても、充分切り込み線が入れることができる。その後、２条の切込み線の入った内側をはつり工具などではつれば凹溝２０を形成することができる。
【００２３】
また、カッター刃４の切断による切り込み線を入れる際に生じる粉塵は保護カバー６に設けた排出筒９によって集塵袋内に集塵され飛散することがなくなると共に、コンクリート切断片は保護カバー６の側板６ｂの前端縁と下端縁とに設けた折曲片７，７によって手や身体に当たるのを阻止することができ、安全に作業ができるものである。
【００２４】
さらに、保護カバー６で覆われていない下部後面をスライド安全カバーで覆っていることから、切断片が作業者の方向に飛散して作業者に当たることがなくなると共に、カッター刃の切り込み深さによってスライドし、切断作業時においては、どのような深さであっても、自重によって安全カバーの下面が被切削材に当接して切断深さを一定に保つことができ、安定した切断作業を行うことができる。
【００２５】
以上、本発明は床面と垂直面との出合う入り隅部の切り込み線を入れる場合で説明したが、必ずしもこの実施の形態に限定されるものではなく、本発明の目的を達成でき、かつ発明の要旨を逸脱しない範囲内で種々の設計変更が可能であり、それらも全て本発明の範囲内に包含されるものである。
【産業上の利用可能性】
【００２６】
本発明は、コンクリート、モルタルなどからなる建築構造物における凹溝を施工する際の、前工程である切り込み線入れ作業に使用するのに適した携帯用電動パラレルカッターとして用いることができる。
【符号の説明】
【００２７】
１  カッター本体
２  ケーシング
３  駆動軸
４  カッター刃
５  スペーサー
６  保護カバー
９  粉塵排出筒
１０  スライド安全カバー
【図１】
2012250335.tif 000003
【図２】
2012250335.tif 000004
【図３】
2012250335.tif 000005
【図４】
2012250335.tif 000006
【図５】
2012250335.tif 000007
【図６】
2012250335.tif 000008
【図７】
2012250335.tif 000009
【図８】
2012250335.tif 000010
【図９】
2012250335.tif 000011